(57)【要約】  時計ムーブメントの作動時における地球の重力の影響に対抗するために、このタイムピースは、基準面を規定する時計ムーブメントにおける最終輪列を駆動するように設計された脱進機機構と前記脱進機機構と協働する天府とを含む。特に、前記天府はフレーム(28,60)に取り付けられ、前記フレームは基準面に対して第１の軸(AA,CC)を中心に回転し、第１の軸(AA,CC)に対するフレーム(28,60)の位置は地球の重力の方向に依存する。【選択図】          図１
2009501325.tif 000002
【特許請求の範囲】
【請求項１】
脱進機機構は時計ムーブメントのエネルギー源からエネルギーを受け、前記ムーブメントは第１の基準面を規定し、天府（４２）は前記脱進機機構と協働し、前記天府はフレーム（２８，６０）に組み込まれ、前記フレームは前記第１の基準面に対して第１の軸（ＡＡ，ＣＣ）を中心に回転し、前記第１の軸（ＡＡ，ＣＣ）に対する前記フレーム（２８，６０）の位置が地球の重力の方向に依存することを特徴とするタイムピース。
【請求項２】
前記フレーム（２８，６０）は、前記脱進機機構とエネルギー源とに動力伝達するように接続された駆動列を中心に回転し、前記駆動列は前記脱進機機構によって前記第１の軸を中心に回転するように駆動することを特徴とする請求項１に記載のタイムピース。
【請求項３】
前記フレームは、前記駆動列に対して第２の軸（ＢＢ）を中心に回転し、前記第２の基準面は地球の重力の方向に平行な面で規定され、かつ前記第２の軸を貫通することを特徴とする請求項２に記載のタイムピース。
【請求項４】
前記駆動列は、真（１４）であり、前記真と前記脱進機機構とは、
−前記真（１４）に対して回転する第１の要素（１８ａ）と前記第２の軸（ＢＢ）に関して、第１の要素（１８ａ）に蝶番で取り付けられた第２の要素（１８ｂ）とを含む接続機構、
−前記第１の要素に対して回転すると共に前記真を駆動する第１の円錐歯ピニオン（１６）、
−前記第２の要素に対して回転する共に前記脱進機機構に動力伝達するように接続され、前記第１の円錐歯ピニオンと協働する第２の円錐歯ピニオン（４６）
により動力伝達するように接続されていることを特徴とする請求項３に記載のタイムピース。
【請求項５】
脱進機機構は脱進機歯車（３６）とピニオン（３８）とを含み、前記脱進機歯車（３６）とピニオン（３８）との軸、円錐歯ピニオン（１６，４６）の軸、及び天府（４２）の軸は、軸ＥＥ上に配置されていることを特徴とする請求項４に記載のタイムピース。
【請求項６】
前記フレーム（２８）は、フレームの姿勢を調節可能なおもり（５２）を含むことを特徴とする請求項２〜５のうちのいずれか一項に記載のタイムピース。
【請求項７】
調速輪列側に配置されるその端部と前記第２の軸との間における真（１４）の長さは、脱進機部分、天府、又は前記真を含まない基準面側に置かれたフレームにおける第２の基準面に直交する最大長さよりも長いことを特徴とする請求項４〜６のうちのいずれか一項に記載のタイムピース。
【請求項８】
脱進機と天府とを含むフレーム（２８）における重力の中心は、第２の基準面にあることを特徴とする請求項３〜７のうちのいずれか一項に記載のタイムピース。
【請求項９】
前記天府は第２のフレーム（６６）に組み込まれ、前記天府と前記脱進機機構とは、
−第２のフレーム（６６）に対して回転する真（７６）車を中心に回転する第１の要素及び第２の軸（ＤＤ）を規定する結合部を用いて第１の要素に蝶番で取り付けられた第２の要素によって構成される接続機構（８０）、
−前記第１の要素において回転すると共に前記真（７６）を駆動する第１の円錐歯ピニオン（７８）、及び
−前記第２の要素において回転すると共に、前記天府によって駆動され、第１の円錐歯ピニオンと協働する第２の円錐歯ピニオン（８４）
によって接続されることを特徴とする請求項１に記載のタイムピース。
【発明の詳細な説明】
【技術分野】
【０００１】
本発明は機械式時計の分野に関し、より詳しくは、特別な調節機構を備えたタイムピースに関する。
【背景技術】
【０００２】
ある機械式タイムピース、特に小型腕時計においては、ムーブメントにエネルギーを伝達可能な動力機構は、香箱を形成するドラムに収容されたばねである。香箱の巻き戻しは、螺旋状に巻かれたコイルばねに結合された天府によって形成される調節機構の振動を維持及び計数することも目的とする脱進機と呼ばれる分配機構によって制御される。
【０００３】
脱進機及び調節機構についてのその他の詳細は、「時計学の理論」（レイモンダン等著、1998年、工科学校連盟刊、ISBN 2-940025-10-X）という本の第99頁〜第169頁に記載されている。
【０００４】
機械式時計における脱進機が垂直位置にあるとき、地球の重力によって引き起こされる、天府とうずまきばねとの必然的な不均衡によって、作動偏差が生じることが知られている。これが、時計の動作は、異なる場所でチェックされるべき理由である。
【０００５】
このような欠点を解決するために、トゥルビオンという名で知られている装置がブレゲによって開発された。機械式時計における有名な複雑さを構成するこのトゥルビオンは、現在とても広く使用されている。その目的は、一軸トゥルビオンの場合には、ぜんまい天府にすべて垂直位置を貫通させることにより重力のための偏差を補正することである。
【０００６】
しかし、トゥルビオンの構造は、かなり複雑である。さらに、このタイプの装置は、いつも垂直位置に近い、ポケット時計及び小型時計でその効果のすべてが得られる。しかし、その有用性については、すべての姿勢をとり易く、完全な垂直位置にはほとんどなることのない小型腕時計に関しては、より不確かである。
【０００７】
その上、航海の黄金時代（17世紀後半）には、海用クロノメーターが発達した結果、傾斜と回転があるにもかかわらず、かなり正確に時間を測定可能にする計器が与えられた。ゼンマイ仕掛けのムーブメントを含むケースは、ある意味で一時停止される。より詳しくは、それは、支持部に、すなわち三次元空間すべてにその支持部自身を正しく配置可能なジンバルシステムに組み込まれる。この支持部は、釣り合いおもりに連結される。このように、突起を有するムーブメントであるにもかかわらず、ジンバルの動作と協働する釣り合いおもりによって受けた重力は、地球標準に対して水平にその支持部を維持する。
【０００８】
このタイプのジンバルシステムは、大きすぎるので、携帯用タイムピースのためのムーブメントの内部に置き換えることはできない。さらに、調速輪列とジンバルによって一時停止された部分とのあいだの結合の問題が、今まで解決されていない。
【０００９】
【非特許文献１】時計学の理論（レイモンダン等著、1998年、工科学校連盟刊、ISBN 2-940025-10-X）の第217頁〜第218頁
【発明の開示】
【発明が解決しようとする課題】
【００１０】
本発明は、調整機構の作動が重力で変動することなく、そして前記欠点のないタイムピースを提供することを目的とする。
【課題を解決するための手段】
【００１１】
本発明の概要
より正確には、本発明は、時計ムーブメントにおけるエネルギー源からエネルギーを受けている脱進機機構を含み、前記ムーブメントは第１の基準面を規定して、前記脱進機機構と協働する天府を含むタイムピースに関する。この天府は、第１の基準面に対して第１の軸の周りを回転するフレーム内に組み込まれる。本発明によると、第１の軸に対するフレームの位置は、地球の重力の方向に依存する。
【発明を実施するための最良の形態】
【００１２】
添付の図面を参照してなされる以下の記載を読むことにより、その他の詳細がより明確に理解されるであろう。
【００１３】
図１は、第１基準面を規定する時計ムーブメントの調速輪列の四番車１０を示す。図４に示されるように、ムーブメントを支持するプレートに固定されるように図示された支持構造１２は、歯車１０の近くに、前記歯車に平行に配置されている。例えば、支持１２は、図２によりよく示されている３つのアームにより形成されており、歯車１０に直交する軸に交差し、その中心を通過している。
【００１４】
歯車１０は、前記歯車に垂直方向にある真１４を回転運動させる。好適には、前記真１４は、その一端に歯車１０が結合されている。その他端では、真１４は、第１の円錐歯ピニオン１６で終端され、またそれと一体になっている。真は、軸ＡＡを規定する。
【００１５】
接続機構は、ピニオン１６が配置されている側の、真１４の端部に取り付けられる。それは、好ましくは、直径が同じワッシャ形状の２つの要素１８ａと１８ｂで形成され、それぞれがワッシャに対して直交して配設される２つのつまみ２０ａ及び２０ｂを備え、孔２２ａ及び２２ｂが貫通している。第１のワッシャ１８ａは、軸ＡＡの周りを摺動可能となるように、真１４に形成されたねじ溝２４に配設される。好ましくは、前記ねじ溝は、ＡＡに直交した面に配置される。
【００１６】
第２のワッシャ１８ｂは、第１のワッシャ１８ａとは反対側に配置される。両方のワッシャのつまみ２０ａ及び２０ｂに設けられている孔２２ａと２２ｂとは、軸ＢＢ上にあり、それらを貫通する天府ぜんまいの鋲２６で結合部を形成する。このように、第２のワッシャ１８ｂは、真１４に関して軸ＡＡとＢＢとを中心に回転動作する。
【００１７】
ぜんまい天府と時計ムーブメント一式は、天府、アンクル、及び脱進機歯車を含み、これらはフレーム２８に配列され、このフレームは柱状体３２によって接続された２つの橋状部を形成する。この脱進機は、定荷重型である。このタイプの機構は、当業者に特に知られており、ここに詳細に記述する必要はない。
【００１８】
例のように、この図は、アンクル脱進機を形成する分配機構を示す。このアンクル脱進機は、第一に脱進機歯車３６を周期的に保持するアンクル３４を有する。前記脱進機歯車３６は、脱進機における“定荷重”規則を実現させる、付属の螺旋状に巻かれたばね４０を支持する脱進機ピニオン３８と統合される。従来から、アンクルはぜんまい天府４２と協働する。
【００１９】
より詳しくは、フレーム２８は、脱進機歯車３６の軸とぜんまい天府４２の軸との間に配置される場所に、孔が備えられた環状部４４を有する。
【００２０】
孔２２ｂが部分４４の孔と一直線上にあるように、フレーム２８はワッシャ１８ｂに完全に取り付けられる。例えば、環状部４４は、ワッシャ１８ｂに溶接される。好ましい一態様においては、ワッシャ１８ｂは、橋状部と統合され、２つのつまみ２０ｂで終わる。
【００２１】
第２の円錐歯ピニオン４６は、第２のワッシャ１８ｂの孔及び部分４４の孔に枢動可能に取り付けられる。それは、ワッシャ１８ｂと環状部４４とを貫通する真４８が備えられており、ピニオン５０で終端し、そのうちの１つの歯のみが図示され、その歯は脱進機ピニオン３８と係合されている。
【００２２】
このように、調節機構は、四番車１０、真１４、及び一組のピニオン１６，４６，５０を介して、時計ムーブメントによって構成される香箱に動力伝達するように接続される。脱進機は、ベースで分配されたエネルギーを香箱によって受け、一部の駆動力を調節機構への摩擦による力の損失を回復するために周期的に脱する。
【００２３】
時計が水平であるとき、この装置は、図２及び３に示されるようになり、例えば、円錐歯ピニオン１６及び４６は、互いに完全に係合する。
【００２４】
調節機構を支持しているフレームにおける重力の中心は、軸ＢＢを貫通する面に位置し、地球の重力の方向にそって方向付けられ、例えば、時計が水平であるときは、調速輪列に対して直交する面にある。この面はＰｒと称される第２の基準面を構成する。
【００２５】
この装置の目的は、この時計の着用者が動いたとき、この調節機構が地球基準に対して水平な位置を維持するようにフレーム１８が動くようにすることである。
【００２６】
このアセンブリにおける重力の中心がこのフレームによって形成されるなら、アソルティマンとぜんまい天府とは、真１４を含まない基準面の側から移動し、重力の中心が基準面Ｐｒに維持されるように軸ＢＢを中心にフレームが回転する。
【００２７】
重力の中心が真１４を含む基準面の側から移動するなら、２つの円錐歯ピニオンはお互いに咬合する。重力の中心が、第１のワッシャ１８ａの中心を含む基準面に直交する面に維持されるなら、この装置は、このとき調節機構が水平にならない準安定的な姿勢にある。しかし、実際の状態では、この準安定位置に対するフレームの多少の不均衡によって、ねじ溝２４を第１のワッシャ１８ａが回転することによって、軸ＡＡの周りをフレームが回転することで第１の回転運動を得ることができる。重力の中心はこのとき、基準面Ｐｒのもう一方に戻り、上述したように、重力の中心が第２の基準面に維持されるように、フレームは軸ＢＢを中心にして回転する。実際に、軸ＡＡとＢＢを中心とした２つの回転運動は、同時に起こり、お互いに組み合わされる。
【００２８】
時計が動くときにフレーム２８が動作可能なようにシステムの反応を増進及び強化するために、後ろ支持おもり５２が、最も回転軸から離れた位置に特別に配置される。図においては、このおもりは脱進機歯車３６の近くに示されている。好ましくは、この装置の調整を容易にするために、それらはフレーム２８上を摺動可能である。
【００２９】
さらに、支持構造１２と軸ＢＢとの間の高さは、アソルティマン、ぜんまい天府及びフレーム２８が自由に移動できるように、アソルティマンの部分、天府又は真１４を含まない基準面側にあるフレームにおける、基準面Ｐｒに直交した最大寸法より大きくなければならないことが分かる。図示された例では、この最大寸法は、ぜんまい天府４２と基準面との間の距離によって明らかになる。図４に示されるように、この発明による装置が統合されるムーブメントは、フレーム２８とアソルティマンとぜんまい天府との動作を妨げる要素を含まない。
【００３０】
脱進機歯車３６とピニオン３８との軸、円錐歯ピニオン１６及び４６及びぜんまい天府４２とは、図２の軸ＥＥで示されるように、一直線上に配置されることが分かる。同様に、時計が水平であるとき、四番車１０、真１４、円錐ピニオン１６及び４６、ワッシャ１８、及びピニオン５０は、軸ＡＡを中心にして存在する。
【００３１】
第１のワッシャ１８ａと真１４との間の摩擦係数は、アソルティマンの摩擦よりも大きく、それによって、脱進機歯車３６が実際に調速輪列にそのエネルギーを移行し、フレーム２８が真１４の周りを回転しないように確保する。
【００３２】
作動中には、脱進機歯車は、図１の矢印Ｚで示される方向に回転する。ピニオン５０は、それゆえ反対の方向に回転する。時計の作動のために、フレーム２８は矢印Ｚで示される方向と反対方向に軸ＡＡの周りを回転するとき、脱進機歯車３６は通常の作動に較べて遅れる。付属ばね４０は、このときエネルギーを蓄え、続いて徐々にそれを開放する。フレームが矢印Ｚで示される方向に回転するとき、脱進機歯車３６は通常の作動に較べて進む。付属ばね４０は緩み、香箱は、直ちに減少カップルを補正するためにより早く弛緩する。どちらの場合も、付属ばね４０は、脱進機歯車に備えられたカップルが一定であるように媒介として働く。
【００３３】
図５は、本発明による第１の実施形態から発展した変形例の断面を示す。図１〜４に示される装置に対する主要な相違点は、枢動可能に管８６に設けられた真１４である。管に対して真を動くようにすると共に、前記管に対して接続機構を動くようにし、また接続機構に対してフレーム２８を動くようにする石８８も認識される。この図は、接続機構の要素としてワッシャの代わりの一例を示す。
【００３４】
この態様においては、フレームは、携帯おもりを支持せず、配置されている慣性ブロック９０、例えばバランスピボットによって、その底部の中心で安定する。
【００３５】
図６に示される別の態様においては、定荷重脱進機をも備えた、アソルティマンとぜんまい天府アセンブリとは、示された例では、２つの支柱６２と中心軸ＣＣとを含む第１のフレーム６０に組み込まれている。
【００３６】
支柱７０によって接続される２つの橋部６８ａ及び６８ｂで主に形成される第２のフレーム６６は、前記中心軸ＣＣを中心に枢動可能に設けられる。中間橋部６９に接続される上側橋部６８ａは、アンクル７２を支持し、その付属ばねに接続される、脱進機歯車７３と脱進機ピニオン７５とは、中心軸に取り付けられる。ピニオン７５は、部分的に示されているが、ばねは見えない。好ましくは、脱進機ピニオン７５は、第１のフレーム６０と第２のフレーム６６との間に配設される。換言すると、第２のフレームは、脱進機歯車７３とピニオン７５との間に挿入される。このように、第１のフレームに対して第２のフレーム６６の回転を妨害するのを回避するように、ピニオン７５は、脱進機と調速輪列との間の動力的結合を容易にすることができる。
【００３７】
アンクル７２は、インパルスピン７４と協働する。板は、上側橋部６８ａと中間橋部６９との間を回転し、そして中間橋部６９を貫通し円錐歯ピニオン７８で終わっている真７６が備えられている。上述したように、真７６は、接続機構８０を有しており、その接続機構は第３のフレーム８２に蝶番で接続され、軸ＤＤを有する結合部を備えている。結合部を形成している要素の１つは、中間橋部６９と一体であるか又は一体になってもよい。ぜんまい天府は前記第３のフレーム８２に取り付けられ、フレーム８２を貫通する軸によって、第１の円錐歯ピニオン７８と協働する第２の円錐歯ピニオン８４を一体的に駆動する。
【００３８】
このように、調節機構は軸ＤＤを中心に回転可能であり、一方、軸ＣＣを中心にアソルティマンアセンブリを一体的に回転可能である。第２のフレーム６６のアセンブリは第１のフレーム６０の内側で回転し、その支柱６２は、第２のフレームが独立して回転できるように互いに十分な距離をとっている。このアセンブリの応答性を強化するために、第２のフレームにおける支柱７０は重い材料で形成される。
【００３９】
このように、調節機構のみ又は分配機構に結合された調節機構が、地球の重力によって２つの軸に沿って配置可能なフレームに配設されるタイムピースが提案される。ぜんまい天府の面は、重力の方向に大体直交したままである。時計が様々な姿勢をとるときに通常観察される作動の相違はもはや存在しない。
【００４０】
ここに記述している形態において、示された脱進機は、スイスアンクル型のものである。当業者は、この発明の範囲を逸脱せずに、すべてのタイプの脱進機を容易に選択及び適応することができる。同様に、当業者は、フレームが全く好ましくない姿勢をとることがないように停止部材を規定し配置させることができる。接続機構に結合される２つの円錐歯ピニオンは、１つは球状歯車で、もう１つはその端部が凸面の方向に曲線を描く板で、交換可能であると共に、前記端部は球状の歯と協働する歯を有している。このタイプの装置は、文献ＳＵ９５８０４８に示唆されている。
【００４１】
本発明による機構は、ブレゲ  トゥルビオンのように、調整機構で地球の重力の影響を制限することを求める。この一流の前任者に関連し及び敬意を表して、この機構はメルステムと称される。
【図面の簡単な説明】
【００４２】
【図１】図１は、本発明による装置の斜視図である。
【図２】図２は、第１の位置における前記装置の平面図及び側面図である。
【図３】図３は、第１の位置における前記装置の平面図及び側面図である。
【図４】図４は、時計ムーブメントに前記装置を組み込んだところを示している。
【図５】図５は、本発明の第１の実施例から発展した変形例の断面図である。
【図６】図６は、本発明の他の実施例を示している。
【図１】
2009501325.tif 000003
【図２】
2009501325.tif 000004
【図３】
2009501325.tif 000005
【図４】
2009501325.tif 000006
【図５】
2009501325.tif 000007
【図６】
2009501325.tif 000008
【国際調査報告】
2009501325.tif 000009
2009501325.tif 000010
2009501325.tif 000011
2009501325.tif 000012